(57)【要約】【課題】肌当接部を可動とすることで肌に対する密着性を向上させて肌ケア効果を向上させることができる肌ケア装置を提供する。【解決手段】手で持つプローブ本体１に肌に接触する接触子１２を設けて超音波振動等の刺激が接触子を介して肌表面に伝わるようにした肌ケア装置である。これにおいて、肌に接触する接触子１２の向きが可変になるようにプローブ本体１に対して接触子１２を可動にする。【選択図】        図１
2006204767.tif 000002
【特許請求の範囲】
【請求項１】
手で持つプローブ本体に肌に接触する接触子を設けて超音波振動等の刺激が接触子を介して肌表面に伝わるようにした肌ケア装置において、肌に接触する接触子の向きが可変になるようにプローブ本体に対して接触子を可動にしたことを特徴とする肌ケア装置。
【請求項２】
接触子の向きが一点を中心に三次元的に全方向に回動し得るようにしたことを特徴とする請求項１記載の肌ケア装置。
【請求項３】
上記接触子を備えた可動部の可動中心部に可動側軸を設け、プローブ本体側である固定部の前記可動側軸と直交する位置の可動側軸と同一平面上に固定側軸を設け、可動側軸と固定側軸との間に各軸が回転摺動する接続部を設けたことを特徴とする請求項２記載の肌ケア装置。
【請求項４】
接触子を備えた可動部に可動部の回転中心の位置で球体または球体保持部のいずれか一方を設けると共にプローブ本体側である固定部に可動部の回転中心の位置で球体または球体保持部の他方を設け、球体と球体保持部とが摺動自在に嵌合したことを特徴とする請求項２記載の肌ケア装置。
【請求項５】
接触子を備えた可動部とプローブ本体側である固定部との間が蛇腹状の伸縮体で接続されたことを特徴とする請求項１乃至請求項４のいずれかに記載の肌ケア装置。
【請求項６】
肌を接触子から離したときに接触子が初期位置に戻るように復帰させる位置復帰機能を設けたことを特徴とする請求項１乃至請求項５のいずれかに記載の肌ケア装置。
【請求項７】
位置復帰させる手段として、接触子を備えた可動部とプローブ本体側である固定部との間にバネ等の弾性体を設けたことを特徴とする請求項６記載の肌ケア装置。
【請求項８】
接触子を備えた可動部とプローブ本体側である固定部との間にバネ等の弾性体を設け、弾性体と固定部との間に接触子の肌当接面に対して垂直方向に弾性体が伸縮するように弾性体を支持する支持体を設けたことを特徴とする請求項１乃至請求項７のいずれかに記載の肌ケア装置。
【請求項９】
支持体と固定部との間の摺動面に金属板を設けたことを特徴とする請求項８記載の肌ケア装置。
【請求項１０】
接触子を備えた可動部のプローブ本体側である固定部に対する最大可動量を規制するストッパーを固定部側に設け、そのストッパーは弾性体で構成したことを特徴とする請求項１乃至請求項９のいずれかに記載の肌ケア装置。
【請求項１１】
接触子を備えた可動部の外周に球面の可動側壁面を設けると共にプローブ本体側である固定部に球面の固定側壁面を設け、可動側壁面を固定側壁面に被嵌したことを特徴とする請求項１乃至請求項４のいずれかに記載の肌ケア装置。
【請求項１２】
可動側壁面と固定側壁面との間に弾性体を介装したことを特徴とする請求項１１記載の肌ケア装置。
【請求項１３】
接触子を備えた可動部がプローブ本体側である固定部に対して固定される機能を備えたことを特徴とする請求項１乃至請求項１２のいずれかに記載の肌ケア装置。
【請求項１４】
接触子を備えた可動部がプローブ本体側である固定部に対してフロート自在になっていることを特徴とする請求項１乃至請求項３のいずれかに記載の肌ケア装置。
【請求項１５】
接触子を備えた可動部が接触子の肌当接面と垂直方向に押されたときに可動部の移動を検知する機能を有していることを特徴とする請求項１乃至請求項１４のいずれかに記載の肌ケア装置。
【請求項１６】
接触子を備えた可動部の回転を支持する部分に回転により変化する電気抵抗を検知する機能を設けたことを特徴とする請求項１乃至請求項１４のいずかに記載の肌ケア装置。
【請求項１７】
接触子を備えた可動部に可動部の移動にて固定側と接触するスイッチを複数個配置し、可動部の移動変化を検知する検知機能を有したことを特徴とする請求項１乃至請求項１４のいずれかに記載の肌ケア装置。
【発明の詳細な説明】
【技術分野】
【０００１】
本発明は、接触子を肌に接触させて肌に刺激を与えることにより肌をケアする肌ケア装置に関し、詳しくは肌に当接する接触子を肌に滑らせるように使用する際に、肌に当接する接触子を可動させて接触子を肌に密着しやすくし、超音波振動、機械的な力、冷温熱などの刺激を接触子を介して確実に肌表面に与える技術に関するものである。
【背景技術】
【０００２】
従来の肌ケア装置の一例として、手で持つプローブ本体に肌に接する接触子として金属製のプローブヘッドを設けると共に、金属製のプローブヘッドの肌当接用金属面と反対側に超音波発信回路からの出力信号により超音波振動する超音波発振素子を備えた超音波美容器において、肌に接する金属製のプローブヘッドをプローブ本体に保持するためのヘッド保持用弾性体によりプローブヘッドに内装した超音波振動素子を含む電気部品をシールしたものが提供されている（例えば、特許文献１、特許文献２参照）。またかかるものでは、突出先端面であって、肌に接触するための部位である肌当接用金属面がプローブ本体から約１５ｍｍ突出しており、金属面以外が肌に干渉することなく、使用できる構造になっている。また肌当接用金属面の突出方向がプローブ本体の軸心に対して略７５度になっており、肌当接用金属面を肌に当てやすい形状になっている。    
【特許文献１】特開平１１−３７４号公報
【特許文献２】特開２００３−１５９１１６号公報
【発明の開示】
【発明が解決しようとする課題】
【０００３】
上記従来例では、接触子としてのプローブヘッドの肌当接用金属面は上記のように肌表面に当てやすい構造に工夫してあるものの、肌当接用金属面は一定の向きを向いているために、肌に凹凸があるとその凹凸に追従することができす、肌当接用金属面が密着しにくく機器の効果が低下する等の問題があった。
【０００４】
本発明は上記の従来の問題点に鑑みて発明したものであって、肌当接部を可動とすることで肌に対する密着性を向上させて肌ケア効果を向上させることができる肌ケア装置を提供することを課題とするものである。
【課題を解決するための手段】
【０００５】
上記課題を解決するために本発明の請求項１の肌ケア装置は、手で持つプローブ本体に肌に接触する接触子を設けて超音波振動等の刺激が接触子を介して肌表面に伝わるようにした肌ケア装置において、肌に接触する接触子の向きが可変になるようにプローブ本体に対して接触子を可動にしたことを特徴とする。
【０００６】
超音波振動等の刺激は接触子と肌との間に空気層等があると伝達されないため。その伝達を確実にするために接触子と肌との間にジェル、水等を使用するが、従来のように接触子が可動でない場合には、使用者が接触子を肌に滑らせる際に無意識に接触面と肌との間に大きな隙間を作ってしまうため、接触子と肌との間に空気層が発生し、超音波振動等の刺激が肌に到達しなくなる。本発明では接触子の向きが可変になるようにプローブ本体に対して接触子を可動にしたことにより、常に接触子の肌当接部が肌に当接するように接触子が肌に追従し、接触子と肌との間に隙間ができなく、肌に対する密着性を向上させて肌ケア効果を向上させることができる。
【０００７】
また本発明の請求項２の肌ケア装置は、請求項１において、接触子の向きが一点を中心に三次元的に全方向に回動し得るようにしたことを特徴とする。この場合、接触子の向きが全方向に自在に向き、三次元的な肌の凹凸に追従させることができ、一層肌に対する密着性を向上させて肌ケア効果を向上させることができる。
【０００８】
また本発明の請求項３の肌ケア装置は、請求項２において、上記接触子を備えた可動部の可動中心部に可動側軸を設け、プローブ本体側である固定部の前記可動側軸と直交する位置の可動側軸と同一平面上に固定側軸を設け、可動側軸と固定側軸との間に各軸が回転摺動する接続部を設けたことを特徴とする。この場合、可動側軸と固定側軸との直交する部分を中心として可動部が三次元的に全方向に回動が可能になり、接触子が接触する肌のいずれの方向に凹凸が発生しても肌に密着しやすい構造になっている。
【０００９】
また本発明の請求項４の肌ケア装置は、請求項２において、接触子を備えた可動部に可動部の回転中心の位置で球体または球体保持部のいずれか一方を設けると共にプローブ本体側である固定部に可動部の回転中心の位置で球体または球体保持部の他方を設け、球体と球体保持部とが摺動自在に嵌合したことを特徴とする。この場合も、球体と球体保持部とが嵌合した部分を中心に可動部が三次元的に全方向に回動が可能になり、接触子が接触する肌のいずれの方向に凹凸が発生しても肌に密着しやすい。また球体と球体保持部が嵌合する構造であるために請求項３のものに比べて構造がシンプルであり、製造コスト的に容易に実現可能である。
【００１０】
また本発明の請求項５の肌ケア装置は、請求項１乃至請求項４のいずれかにおいて、接触子を備えた可動部とプローブ本体側である固定部との間が蛇腹状の伸縮体で接続されたことを特徴とする。接触子を備えた可動部を自在に可動にしながら可動部と固定部との間に隙間ができないようにしてジェル、水等が機器内部に浸入するのを避けることができ、より安全な装置を実現できる。
【００１１】
また本発明の請求項６の肌ケア装置は、請求項１乃至請求項５のいずれかにおいて、肌を接触子から離したときに接触子が初期位置に戻るように復帰させる位置復帰機能を設けたことを特徴とする。可動部が常に初期状態に復帰するような荷重を発することで接触子が常に肌に密着する方向に可動となる。
【００１２】
また本発明の請求項７の肌ケア装置は、位置復帰させる手段として、接触子を備えた可動部とプローブ本体側である固定部との間にバネ等の弾性体を設けたことを特徴とする。この場合、バネ等の弾性体から発せられた荷重にて初期の状態に戻る。
【００１３】
また本発明の請求項８の肌ケア装置は、請求項１乃至請求項７のいずれかにおいて、接触子を備えた可動部とプローブ本体側である固定部との間にバネ等の弾性体を設け、弾性体と固定部との間に接触子の肌当接面に対して垂直方向に弾性体が伸縮するように弾性体を支持する支持体を設けたことを特徴とする。この場合、バネ等の弾性体が支持体で支持されることにより、弾性体が常に一方向の変位で変形することから発生する荷重は一定増になり安定した荷重が確保できる。
【００１４】
また本発明の請求項９の肌ケア装置は、請求項８において、支持体と固定部との間の摺動面に金属板を設けたことを特徴とする。支持体が摺動しても摺動耐久性を向上することができる。
【００１５】
また本発明の請求項１０の肌ケア装置は、請求項１乃至請求項９のいずれかにおいて、接触子を備えた可動部のプローブ本体側である固定部に対する最大可動量を規制するストッパーを固定部側に設け、そのストッパーは弾性体で構成したことを特徴とする。この場合、ストッパーにて可動部が適切な角度まで可動になるように設定できると同時に使用者が不意に大きな変位を可動部に加えたとしてもストッパーが弾性体のために固定部の損傷を避けることができる。
【００１６】
また本発明の請求項１１の肌ケア装置は、請求項１乃至請求項４のいずれかにおいて、接触子を備えた可動部の外周に球面の可動側壁面を設けると共にプローブ本体側である固定部に球面の固定側壁面を設け、可動側壁面を固定側壁面に被嵌したことを特徴とする。この場合、使用時にジェル、水等が内部に浸入しにくい構造とできる。
【００１７】
また本発明の請求項１２の肌ケア装置は、請求項１１において、可動側壁面と固定側壁面との間に弾性体を介装したことを特徴とする。可動側壁面と固定側壁面との間が弾性体にてシールできて使用時に一層ジェル、水等が内部に浸入しにくい構造にできる。
【００１８】
また本発明の請求項１３の肌ケア装置は、請求項１乃至請求項１２のいずれかにおいて、接触子を備えた可動部がプローブ本体側である固定部に対して固定される機能を備えたことを特徴とする。可動部が動かないように固定することができ、可動部が動かないように固定することで接触子を肌に強く当てることができる。
【００１９】
また本発明の請求項１４の肌ケア装置は、請求項１乃至請求項３のいずれかにおいて、接触子を備えた可動部がプローブ本体側である固定部に対してフロート自在になっていることを特徴とする。この場合、可動部がフロートすることで接触面の接触時の肌当たり感を向上することができると共に接触面の密着性を向上することができる。
【００２０】
また本発明の請求項１５の肌ケア装置は、請求項１乃至請求項１４のいずれかにおいて、接触子を備えた可動部が接触子の肌当接面と垂直方向に押されたときに可動部の移動を検知する機能を有していることを特徴とする。この場合、接触子が肌に接触しているか否かを判定することができ、例えば超音波振動を与える場合、接触しているときのみ超音波を出力することで、接触子の異常発熱を低減することができる。従来の超音波美容器は接触子部が肌に接触した際に振動子のインピーダンスの変化が生じ、その変化を捉えることで接触していることを検知していたが、この場合、接触する肌のレベル差によって変化に違いが生じる場合があるので、検知制御が複雑である。しかし本発明では機械的変化を捉えるので検知が容易である。
【００２１】
また本発明の請求項１６の肌ケア装置は、請求項１乃至請求項１４において、接触子を備えた可動部の回転を支持する部分に回転により変化する電気抵抗を検知する機能を設けたことを特徴とする。この場合、可動部が動いているか否かを検知することが可能となる。使用者が接触子を肌の同じ箇所に接触させた状態で動かさないと肌が局部発熱にて火傷に至る危険性があるが、可動部の動きの有無を検知することで接触子の肌への接触位置が静止か移動しているかを判断できて肌が局部発熱にて火傷に至る危険性を回避できる。
【００２２】
また本発明の請求項１７の肌ケア装置は、請求項１乃至請求項１４のいずれかにおいて、接触子を備えた可動部に可動部の移動にて固定側と接触するスイッチを複数個配置し、可動部の移動変化を検知する検知機能を有したことを特徴とする。この場合も可動部が動いているか否かを検知することが可能となり、肌が局部発熱して火傷に至る危険性を回避できる。
【発明の効果】
【００２３】
本発明は叙述の如く構成されているので、常に接触子の肌当接部が肌に当接するように接触子が肌に追従し、接触子と肌との間に隙間ができなく、肌に対する密着性を向上させて肌ケア効果を向上させることができるという効果がある。
【発明を実施するための最良の形態】
【００２４】
以下、本発明を添付図面に示す実施形態に基いて説明する。肌ケア装置は図１乃至図３に示すように手で握って保持できるプローブ本体１と、プローブ本体１の上端部に向けたプローブヘッド２とで主体が構成されている。プローブ本体１の外殻となるハウジング３内には超音波発信回路や制御回路等を有する超音波制御回路板４や充電池５を内装してあり、ハウジング３の外面には電源スイッチ６や電源ランプ７や充電ランプ８を設けてある。
【００２５】
プローブヘッド２はプローブ本体１の上下方向に対して斜めに傾斜するように設けてある。このプローブヘッド２は上部の可動都１０と下部の固定部１１とで主体が構成されており、固定部１１はプローブ本体１に固定的に連結してあり、図２の矢印のように固定部１１に対して可動部１０が一点を中心に三次元的に全方向に回動するようになっている。可動部１０には斜め上方に突出するように金属板にて形成せる有底筒状の接触子１２を設けてあり、接触子１２の上底を肌当接面（肌接触面）としてある。接触子１２の内部には超音波振動子１３を装着してあり、この超音波振動子１３と超音波制御回路板４とをリード線１４にて接続してある。
【００２６】
可動部１０は一点を中心に三次元的に全方向に回動するようになっているが、例えば図３に示す構造にて全方向に回動するようになっている。可動部１０の本体となる本体フレーム１５には可動部１０の中心で可動側軸１６を嵌挿してあり、固定部１１には可動側軸１６と直交する位置で且つ可動側軸１６と同一平面上で固定側軸１７を設けてある。本体フレーム１５と固定部１１との間には矩形枠状の接続部１８を設けてあり、可動側軸１６及び固定側軸１７が接続部１８に回転自在に連結してある。これにより可動側軸１６と固定側軸１７との直交する部分を中心に三次元的に全方向に回動するようになっている。
【００２７】
肌ケア装置で肌のケアをするときプローブ本体１を手で持って接触子１２の肌当接面を肌に当接し、超音波振動子１３を振動させて肌に超音波振動の刺激を与えて肌のケアをするが、肌当接面を肌に当てて移動しても可動部１０が全方向に回動するために肌の凹凸に対して接触子１２の肌当接面が追従し、肌当接面と肌との間に隙間ができることがなく密着し、超音波振動の刺激が肌に確実に到達し、肌ケア効果を向上させることができる。
【００２８】
また可動部１０を三次元的に全方向に回動させるために図５に示すような構造を採用してもよい。つまり、可動部１０の回動の中心位置で可動部１０に球体保持部２０を設けると共に固定部１１に球体部２１を設けてあり、球体保持部２０に球体部２１を摺動自在に嵌合してある。この場合も可動部１０が全方向に回動できるが、図３に示す例のもの比べて構造がシンプルになり、製造コスト的に容易に実現できる。かかる球体保持部２０と球体部２１とは可動部１０に球体部２１を設け、固定部１１に球体保持部２０を設けてもよい。
【００２９】
また可動部１０の外周には球面の可動側壁面２２を設けてあり、固定部１１には球面の固定側壁面２３を設けてあり、可動側壁面２２を固定側壁面２３に被嵌してある。このとき、可動部１０が可動可能な限り可動側壁面２２と固定側壁面２３との間の隙間をできるだけ小さくすることが望ましい。このように可動側壁面２２を固定側壁面２３に被せる構造を採用すると、肌ケア装置の使用時にジェル、水等が内部に浸入しにくい。このとき、図８に示すように可動側壁面２２と固定側壁面２３との間に全周に亙るようにシール用の弾性体１９を介装することが望ましい。このようにすると、一層ジェル、水等が内部に浸入しにくくなる。
【００３０】
また可動部１０が全方向に回動するようになっているが、可動部１０を初期位置に復帰させる手段を設けてある。この可動部１０を初期位置に復帰させるためには可動部１０と固定部１１との間に図４や図６に示すようにバネ等の弾性体２４を介装してあり、接触子１２を外方に向けて付勢してある。このようにバネ等の弾性体２４を設けると、弾性体２４から発せられた荷重にて可動部１０が初期位置に戻る。このように可動部１０が常に初期位置に復帰するような荷重を発することで接触子１２が常に肌に密着する方向に動くようになる。
【００３１】
このように可動部１０が初期位置に戻るように可動部１０と固定部１１との間にバネ等の弾性体２４を介装するが、このバネ等の弾性体２４を介装するときに図４に示すように接触子１２の肌当接面にして対して垂直方向にバネ等の弾性体２４が伸縮するように弾性体２４を支持する支持体２５を設けることも好ましい。この支持体２５は可動部１０の接触子１２の肌当接面に対して垂直方向に摺動するように摺動自在に装着してあり、支持体２５の底部を固定部１１に対して摺動自在にしてあり、支持体５の外周に弾性体２４を装着してある。弾性体２４を支持体２５で支持すると、弾性体２４が一方向の変位で変形することから発生する荷重が一定増しとなり、安定した荷重が確保できる。このとき支持体２５を摺動性のあるものとすることで耐久性を確保することができる。
【００３２】
上記支持体２５の底部は固定部１１に対して摺動するが、この支持体２５の摺動する面を図４に示すように金属板２６にて形成してある。このようにすると、支持体２５の摺動耐久性を向上させることができる。
【００３３】
また超音波振動子１３と超音波制御回路板４とがリード線１４にて接続されるが、固定部１１には貫通するように可撓性のある保護チューブ２７を装着してあり、保護チューブ２７内にリード線１４を挿通してある。そして保護チューブ２７の固定部１１に嵌挿した部分も外周及びその上方の外周に亙るようにバネ等の弾性体２８を装着してある。つまりバネ等の弾性体２８を設けることで保護チューブ２７の変形を規制し可動部１０がある角度以上動かないように規制するストッパーの働きをするようにしてある。このようにストッパーの働きをするバネ等の弾性体２８を設けることにより、可動部１０がある角度以上動かないように規制でき、使用上適切な角度まで回動するように設定することができる。しかもこのときストッパーの機能をするのは弾性体２８であるために固定部１１の損傷を防止できる。
【００３４】
また上述の例では球面状の可動側壁面２２を球面状の固定側壁面２３に被嵌することにより外面側を覆ったが、図７に示すように可動部１０と固定部１１との間を弾性体等にて形成された伸縮体２９で覆うように接合してもよい。この場合も可動部１０の回動が自在に行えるものでありながら可動部１０と固定部１１との間に隙間ができないようにし、ジェル、水等が機器内部に浸入するのを避けることができ、より安全な装置にできる。
【００３５】
また図９は他の実施の形態の例を示す。本例の場合可動部１０を固定機構によって動かないように固定できるようになっている。固定部１１の外殻に押し操作により摺動する操作ボタン３０を設けてあり、操作ボタン３０を押し込んだとき操作ボタン３０が支持バネ３１への係止にて戻らないようになっている。また固定部１１には操作ボタン３０の摺動操作にて傾斜面３２，３３を介して摺動するストッパー軸３４を摺動自在に装着してあり、可動部１０にはストッパー軸３４が嵌合する嵌合穴３５を設けてある。ストッパー軸３４にはストッパー軸３４が嵌合穴３５から抜ける方向に付勢するバネ３６を付設してある。しかして図９（ａ）の状態から操作ボタン３０を押し込むと、図９（ｂ）のように傾斜面３２，３３を介してストッパー軸３４が移動してストッパー軸３４が嵌合穴３５に嵌合し、可動部１０が回動しないように固定される。これにより全方向に回動可能な可動部１０の動きを止めることができ、使用者が可動部１０の接触子１２の肌当て面を肌に強く当てたいときに対応できる。
【００３６】
また図１０は他の実施の形態の例を示す。本例の場合、可動部１０の本体となる本体フレーム１５には可動部１０の中心で可動側軸１６を嵌挿してあり、固定部１１には可動側軸１６と直交する位置で且つ可動側軸１６と同一平面上で固定側軸１７を設けてあり、本体フレーム１５と固定部１１との間には矩形枠状の接続部１８を設けてあり、可動側軸１６及び固定側軸１７が接続部１８に回転自在に連結してあり、これにより可動側軸１６と固定側軸１７との直交する部分を中心に三次元的に全方向に回動するようになっているが、本例の場合、これに加えて次の構造を採用している。接続部１８に接触子１２の肌当接面に対して直交する方向を長径とした長円の長孔４０を設けてあり、この長孔４０に固定側軸１７を長孔４０の長手方向に摺動自在に挿通してある。これにより可動部１０が図１０（ａ）の矢印ａ方向に移動自在になり、バネ等の弾性体２４にて可動部１０を接触子１２が突出する方向に付勢していることと相俟って可動部１０がフロート自在になっている。これにより可動部１０が図１０（ａ）の矢印ｂ方向に回動自在でありながら図１０（ａ）の矢印ａのようにフロートすることができ、フロートすることで接触時の肌当り感の向上及び接触面の密着性の向上か可能になる。
【００３７】
また図１０の実施の形態の例のように可動部１０が接触子１２の肌当接面と垂直方向に押されたとき、可動部１０の移動を検知する機能を有していることも好ましい。このとき可動部１０の本体フレーム１５の下部にタクトスイッチ３７を装着してあり、支持体２５と本体フレーム１５との間の距離が近接したときタクトスイッチ３７が入って可動部１０の移動を検知することができるようになっている。この場合、接触子１２が肌に接触しているか否かを判定することができ、例えば超音波振動を与えている場合、接触子１２の肌当接部が超音波振動を出力するようにすることで接触子１２の異常発熱を低減することができる。
【００３８】
また図１１は他の実施の形態の例を示す。本例の場合、可動部１０の回転を支持する部分に回転により変化する電気抵抗を検知する機能を設けてある。つまり、可動側軸１６や固定側軸１７と接続部１８との間に可変抵抗３８を設け、これらの軸１６，１７と接続部１８のこれらの軸１６，１７を嵌合する軸穴とのうち一方を可変抵抗３８の固定部とし、他方を可変抵抗３８の可動部とすることで、可動部１０が動く際の各軸１６，１７の可変抵抗３８の電気抵抗値の変化を捉え、可動部１０が動いているか否かの検知が可能になっている。使用者が接触子１２を肌の同じ箇所に接触させた状態で動かさないと肌が局部発熱にて火傷に至る危険性がある。ところが上記のように可動部１０の可動の有無を検知できるようになっていると、可動部１１が移動していないと判断したとき、超音波振動子１３への電源の供給を遮断したりして局部発熱にて火傷に至る危険性を回避できるようになっている。
【００３９】
また図１２は他の実施の形態の例を示す。本例の場合、可動部１０の移動にて固定部１１側と接触するスイッチを複数個配置し、可動部１０の移動変化を検知する機能を設けてある。つまり、可動部１０の周方向に亙って複数個のタクトスイッチ３９を装着してあり、可動部１０が動いているときは固定部１１に接触するタクトスイッチ３９が変わり、可動部１０が静止しているときはタクトスイッチ３９が固定部１１に接触しないか接触しているタクトスイッチ３９が変わらなくなり、可動部１０が動いているか否かを検知することが可能となり、可動部１０が動いていないと判断したとき、超音波振動子１３への電源の供給を遮断したりして局部発熱にて火傷に至る危険性を回避できる。
【００４０】
なお、上記実施の形態の例では、肌に超音波振動の刺激を与えて肌をケアする肌ケア装置について述べたが、その他の機械的な力や冷温熱などの刺激を与えて肌をケアする肌ケア装置でも同様に実施することができる。
【図面の簡単な説明】
【００４１】
【図１】本発明肌ケア装置の実施の形態の一例を示し、（ａ）は正面図、（ｂ）は側面図、（ｃ）は縦断面図である。
【図２】同上の要部の動作を示す斜視図である。
【図３】（ａ）は図１（ｃ）に対して９０°回転した位置で破断した要部の拡大縦断面図、（ｂ）は（ａ）の横断面図である。
【図４】図１（ｃ）の要部を拡大せる縦断面図である。
【図５】同上の他の例の縦断面図である。
【図６】同上の他の例の縦断面図である。
【図７】同上の他の例の縦断面図である。
【図８】同上の他の例の縦断面図である。
【図９】同上の他の例の縦断面図であって、（ａ）は操作ボタンを押す前の状態で（ｂ）は操作ボタンを押したときの状態である。
【図１０】（ａ）は同上の他の例の縦断面図、（ｂ）は（ａ）の要部の斜視図である。
【図１１】同上の他の例の縦断面図である。
【図１２】（ａ）は同上の他の例の縦断面図、（ｂ）は（ａ）の状態からタクトスイッチが入った状態の縦断面図、（ｃ）は同上の可動部の底面図である。
【符号の説明】
【００４２】
１  プローブ本体  
２  プローブヘッド
３  ハウジング
４  超音波制御回路板
５  充電池
６  電源スイッチ
１０  可動部
１１  固定部
１２  接触子
１３  超音波振動子
１６  可動側軸
１７  固定側軸
１８  接続部
１９  弾性体
２０  球体保持部
２１  球体部
２２  可動側壁面
２３  固定側壁面
２４  弾性体
２５  支持体
２６  金属板
２８  弾性体
２９  伸縮体
３７  タクトスイッチ
３８  可変抵抗
３９  タクトスイッチ
【図１】
2006204767.tif 000003
【図２】
2006204767.tif 000004
【図３】
2006204767.tif 000005
【図４】
2006204767.tif 000006
【図５】
2006204767.tif 000007
【図６】
2006204767.tif 000008
【図７】
2006204767.tif 000009
【図８】
2006204767.tif 000010
【図９】
2006204767.tif 000011
【図１０】
2006204767.tif 000012
【図１１】
2006204767.tif 000013
【図１２】
2006204767.tif 000014